(57)【特許請求の範囲】
【請求項１】
地域コミュニティに属するそれぞれの住宅に設けられた玄関子機および居室親機と、前記それぞれの居室親機とネットワークを介して接続された保安サーバーを備え、
前記玄関子機が、玄関周辺を常時撮影するカメラを備え、
前記居室親機が、
前記カメラが撮影した映像のうち、訪問者を含む映像を保存する記憶手段と、前記記憶手段に保存した映像を除外して前記保安サーバーに送信する映像送信手段を備え、
前記保安サーバーが、受信した前記映像に基づいて、地域コミュニティの安全を維持するためのデータ処理を行うことを特徴とする地域コミュニティの保安システム。
【請求項２】
前記記憶手段が、訪問者が前記居室親機の呼び出しを行った後から居住者との通話が終了するまでの間に撮影された映像を保存し、
前記映像送信手段が、前記記憶手段に保存した映像を除外して、前記カメラの映像を前記保安サーバーに送信することを特徴とする請求項１に記載の地域コミュニティの保安システム。
【請求項３】
訪問者を検知するセンサを備え、
前記記憶手段が、前記センサが訪問者を検知し続けている間に撮影された映像を保存し、
前記映像送信手段が、前記記憶手段に保存した映像を除外して、前記カメラの映像を前記保安サーバーに送信することを特徴とする請求項１に記載の地域コミュニティの保安システム。
【請求項４】
前記保安サーバーが、前記映像送信手段から受信した映像を合成し、一または複数のパノラマ映像を生成する映像合成手段を備えたことを特徴とする請求項１〜３の何れか一項に記載の地域コミュニティの保安システム。
【請求項５】
前記保安サーバーが、前記地域コミュニティに関する保安情報を前記居室親機に通報する通知手段を備え、前記居室親機が、前記保安情報を居住者に通報する報知手段を備えた請求項１〜４の何れか一項に記載の地域コミュニティの保安システム。
【発明の詳細な説明】
【技術分野】
【０００１】
本発明は、地域コミュニティに属する住戸の玄関付近を常時撮影し、その映像を地域コミュニティの保安サーバーで保存する保安システムに関する。
【背景技術】
【０００２】
従来、近隣の住戸同士でインターホンシステムの居室親機を接続し、一の住戸で侵入者警報が発せられると、近隣住戸の居室親機に玄関子機カメラからの映像を録画する保安システムが知られている（特許文献１）。
【先行技術文献】
【特許文献】
【０００３】
【特許文献１】特開２００８−８５８５０号公報
【発明の概要】
【発明が解決しようとする課題】
【０００４】
しかし、従来の保安システムでは、警報が発せられたときにカメラが作動するため、保安情報量が少なく、地域コミュニティのように広範なエリアでの保安システムには適さないという問題があった。
【０００５】
そこで、本発明の目的は、常時カメラを作動させて保安情報量を十分に確保し、地域コミュニティの保安に適した保安システムを提供することにある。
【課題を解決するための手段】
【０００６】
上記課題を解決するために、本発明は次のような手段を提供する。
（１）地域コミュニティに属するそれぞれの住宅に設けられた玄関子機および居室親機と、それぞれの居室親機とネットワークを介して接続された保安サーバーを備え、玄関子機が、玄関周辺を常時撮影するカメラを備え、居室親機が、カメラが撮影した映像の少なくとも一部を保安サーバーに送信する映像送信手段を備え、保安サーバーが、受信した映像に基づいて、地域コミュニティの安全を維持するためのデータ処理を行うことを特徴とする地域コミュニティの保安システム。
【０００７】
（２）映像送信手段が、訪問者が居室親機の呼び出しを行った後から居住者との通話が終了するまでの間に撮影された映像を除外して、カメラの映像を保安サーバーに送信することを特徴とする上記１に記載の地域コミュニティの保安システム。
【０００８】
（３）訪問者を検知するセンサを備え、映像送信手段が、センサが訪問者を検知し続けている間に撮影された映像を除外して、カメラの映像を保安サーバーに送信することを特徴とする上記１に記載の地域コミュニティの保安システム。
【０００９】
（４）保安サーバーが、映像送信手段から受信した映像を合成し、一または複数のパノラマ映像を生成する映像合成手段を備えたことを特徴とする上記１〜３の何れか一に記載の地域コミュニティの保安システム。
【００１０】
（５）保安サーバーが、地域コミュニティに関する保安情報を居室親機に通報する通知手段を備え、居室親機が、保安情報を居住者に通報する報知手段を備えた上記１〜４の何れか一に記載の地域コミュニティの保安システム。
【発明の効果】
【００１１】
本発明の地域コミュニティの保安システムによれば、各住戸の子機カメラで常時玄関付近を撮影し、その映像を地域コミュニティの保安サーバーへ保存するため、地域コミュニティ内の広範な映像を共有し、必要に応じて、各住戸へ保安情報を報知することができる。また、撮影した映像のうち、居室親機の呼び出しが行われてから通話が終了するまで（あるいは、センサが訪問者を検知し続けている間）に撮影された映像は保安サーバーに送信しないため、各住戸のプライバシーを保護することができる。
【図面の簡単な説明】
【００１２】
【図１】本発明の地域コミュニティの保安システムの概念図である。
【図２】本発明の地域コミュニティの保安システムのシステム図である。
【図３】本発明の地域コミュニティの保安システム（玄関子機、居室親機）のブロック図である。
【図４】本発明の地域コミュニティの保安システム（保安サーバー）のブロック図である。
【図５】本発明の地域コミュニティの保安システムの実施例１における保安情報収集プログラムのフローチャートである。
【図６】本発明の地域コミュニティの保安システムの実施例２における保安情報収集プログラムのフローチャートである。
【図７】本発明の地域コミュニティの保安システムの映像合成手段を用いて合成したパノラマ映像を、時間単位毎のフレームで示す。
【発明を実施するための形態】
【００１３】
以下、本発明の第１の実施形態を図面に基づいて説明する。図１に示す地域コミュニティの保安システム１は、地域コミュニティに属する複数の住戸２と、各住戸２にそれぞれ設けられた玄関子機１１および居室親機２１と、保安サーバー３１から構成されている。
【００１４】
前記それぞれ設けられた玄関子機１１は、各々カメラ１２を備え、前記それぞれ設けられた居室親機２１は、インターネット４を介して保安サーバー３１と接続されている。また、保安サーバー３１は、インターネット４を介して自治会、市町村役場、警察、消防署、病院、学校等（以下、外部機関３という）と接続されている。
【００１５】
図２に示す地域コミュニティの保安システム１は、複数のインターホンシステム６と、保安サーバー３１から構成されている。複数のインターホンシステム６は、それぞれ玄関子機１１と、居室親機２１と、ルータ５から構成されており、各々の居室親機２１は、ルータ５およびインターネット４を介して保安サーバー３１に接続され、地域コミュニティの安全を維持するためのデータ処理を行うようになっている。
【００１６】
図３に示すように、玄関子機１１は、玄関周辺を常時撮影するカメラ１２と、訪問者が居室親機２１を呼び出すための呼出ボタン１３と、訪問者が居住者と通話するためのマイクやスピーカを含む通話部１４と、カメラ１２などを制御する制御部１５と、カメラ１２で撮影した映像および音声情報を居室親機２１へ送信する子機インターフェース１６から構成されている。
【００１７】
居室親機２１は、玄関子機１１から映像および音声情報を受信する親機インターフェース２２と、玄関子機１１から受信した映像や保安サーバー３１から受信した保安情報を写し出すモニタ２４と、映像を保存する記憶部２５と、親機の各種操作を行うための通話ボタンや終話ボタン等を含む操作部２６と、モニタ２４等を含む居室親機２１の全体を制御する制御部２３から構成されており、ルータ５およびインターネット４を介して保安サーバー３１に接続されている。そして、制御部２３は、子機カメラ１２が撮影した映像の少なくとも一部を保安サーバー３１に送信する映像送信手段として機能するようになっている。
【００１８】
図４に示すように、保安サーバー３１は、居室親機２１から受信した映像を保存する記憶部３４と、記憶部３４に保存された映像を合成してパノラマ映像を生成する映像合成部３３と、前記外部機関３からの保安情報等を居室親機２１に通知する保安情報通知部３５と、これら各部３３，３４，３５等を制御する制御部３２から構成されている。
【００１９】
上記構成の地域コミュニティの保安システム１の動作について、図５に従って説明する。カメラ１２が玄関付近の映像を撮影すると（Ｓ１）、玄関子機１１はその映像を居室親機２１へ送信する（Ｓ２）。映像を受信した居室親機２１は、その時に玄関子機１１が居室親機２１を呼出中ではなかった、または玄関子機１１と居室親機２１が通話中ではなかった場合に（Ｓ３：Ｎｏ）、映像を保安サーバー３１へ送信し（Ｓ４）、映像を受信した保安サーバー３１は、映像を記憶部３４に保存し（Ｓ６）、Ｓ１の直前に移行する。ここで、「呼出中」は、例えば、玄関子機１１の呼出ボタン１３が押されてから居室親機２１の通話ボタンが押されるまでの期間、あるいは、玄関子機１１の呼出ボタン１３が押されてから居室親機２１の通話ボタンが押されることなく所定の時間が経過するまでの期間とすることができる。また、「通話中」は、例えば、居室親機２１の通話ボタンが押されてから居室親機２１の終話ボタンが押されるまでの期間とすることができる。なお、居室親機２１による保安サーバー３１への映像送信は、居室親機２１が映像を受信したときに随時行っても良いし、居室親機２１で一定時間蓄積した後に行っても良い。
【００２０】
一方、居室親機２１が映像を受信した時に玄関子機１１が居室親機２１を呼出中であった、または玄関子機１１と居室親機２１が通話中であった場合は（Ｓ３：Ｙｅｓ）、居室親機２１の記憶部２５に保存し（Ｓ５）、Ｓ１の直前に移行する。
【００２１】
したがって、上記構成の地域コミュニティの保安システムによれば、玄関子機１１のカメラ１２で常時玄関付近を撮影し、地域コミュニティの保安サーバー３１で保存しているため、保安情報を地域コミュニティで共有できる。また、居室親機２１はインターネット４を介して保安サーバー３１に接続されているから、必要に応じて、保安サーバー３１から保安情報を居室親機２１に送信し、地域コミュニティの各居住者に保安上の注意を促すことができる。さらに、呼出中または通話中の場合は、その住戸２の玄関周辺を撮影した映像が保安サーバー３１で保存されないため、その住戸２の訪問者の映像が共有されることを避けられるから、各住戸２の居住者のプライバシーを保護することができる。
【００２２】
次に、映像合成機能を、図７に基づいて説明する。映像合成機能は、保安サーバー３１の映像合成部３３が備える機能であり、カメラ１２ａ，１２ｂ，１２ｃ，１２ｄが撮影したそれぞれの映像を水平方向に結合し、パノラマ映像Ｐ１〜４を生成する機能である。
【００２３】
映像を結合せず、単体で確認した場合には、不審人物Ｘが各住戸２ａ，２ｂ，２ｃ，２ｄ前を通過したことのみが把握される。一方、パノラマ映像Ｐ１〜４を確認すれば、不審人物Ｘの移動してゆく様子、特に、Ｐ３とＰ４の間で荷物が増えているなど、撮影時刻および撮影場所を示す情報と一緒に、不審人物Ｘの行動が把握しやすくなる。
【００２４】
したがって、上記構成の地域コミュニティの保安システムによれば、パノラマ映像を用いることによって不審人物Ｘの行動経過を把握し易くなり、より効果的な保安情報を得ることができる。
【００２５】
ところで、外部機関３（図１参照）では、災害情報や防犯情報などの保安情報を随時発信している。保安サーバー３１が、これらの外部機関３から保安情報を受信すると、保安情報通知部３５は、地域コミュニティに属する住戸２の居室親機２１へ向けて保安情報を通知する。
【００２６】
また、保安サーバー３１は、記憶部３４に保存された映像を照会し、自らで不審人物Ｘを特定したり、災害が発生するおそれのある場所を発見したりした場合には、保安情報通知部３５から地域コミュニティに属する住戸２の居室親機２１へ向けて保安情報を通知することもできる。
【００２７】
したがって、上記構成の地域コミュニティの保安システムによれば、保安サーバー３１によって外部機関３からの保安情報を中継したり、保安サーバー３１自身で保安情報を発信したりするなど、その地域コミュニティの保安に貢献できる情報を各住戸２に提供することができる。
【００２８】
以下、本発明の別の実施形態を、先の実施形態との差分に係る部分のみ説明する。本実施形態では、先の実施形態に係る構成に加え、玄関付近に人を検知する人感センサ１７（図示しない）を備える。人感センサは、例えば、玄関子機１１に内蔵することができる。
【００２９】
上記構成の地域コミュニティの保安システム１の動作について、図６に従って先の実施形態との相違点のみ説明する。玄関子機１１からカメラ映像を受信した居室親機２１は、人感センサ１７が訪問者を検知中でない場合には（Ｓ３：Ｎｏ）、該映像を保安サーバー３１へ送信する（Ｓ４）。
【００３０】
一方、居室親機２１がカメラ映像を受信したときに、人感センサ１７が訪問者を検知中である場合には（Ｓ３：Ｙｅｓ）、該映像を居室親機２１の記憶部２５に保存する（Ｓ５）。
【００３１】
したがって、上記構成の地域コミュニティの保安システムによれば、訪問者が各住戸２の玄関に近寄った時からそこを立ち去るまで、その住戸２の玄関周辺を撮影した映像が保安サーバー３１で保存されないため、その住戸２の訪問者の映像が共有されることを避けられるから、より細やかに各住戸２の居住者のプライバシーを保護することができる。
【００３２】
その他、本発明は、上記実施形態に限定されるものではなく、例えば、玄関子機１１のカメラ１２を玄関子機１１と別体に設けたり、人感センサ１７を玄関子機１１から離れた場所に設けたりするなど、発明の趣旨を逸脱しない範囲で、各部の構成を適宜変更して実施することも可能である。
【符号の説明】
【００３３】
１      地域コミュニティの保安システム
２      住戸
３      自治会等
４      インターネット
５      ルータ
６      インターホンシステム
１１    玄関子機
１２    カメラ
１３    呼出ボタン
１４    通話部
１５    制御部
１６    子機インターフェース
２１    居室親機
２２    親機インターフェース
２３    制御部
２４    モニタ
２５    記憶部
３１    保安サーバー
３２    制御部
３３    映像合成部
３４    記憶部
３５    保安情報通知部
【図１】
0006568442.tif 000002
【図２】
0006568442.tif 000003
【図３】
0006568442.tif 000004
【図４】
0006568442.tif 000005
【図５】
0006568442.tif 000006
【図６】
0006568442.tif 000007
【図７】
0006568442.tif 000008